(57)【要約】【課題】落下衝撃などの負荷に対して強度が大幅に向上された連結具を提供すること。【解決手段】時計ケースとバンドとを連結するばね棒３において、ピン３２の後方大径部３２３が、少なくとも筒状部材３１の端部３１０からピン３２のストローク分、離れた位置にあるかしめ部３１１に係止されることにより、筒状部材３１からのピン３２の離脱を防止する構造とした。このため、筒状部材３１の端部３１０からかしめ部３１１までの距離（Ｌ１にＬ２を加えた寸法）に応じて、ピン３２に作用する曲げモーメントを小さくでき、時計の携帯時や落下衝撃時におけるピン３１の変形を防止できるとともに、筒状部材３１の端部をピン３２の周りでかしめた従来の場合のように衝撃でかしめが開いてしまうことも防止できる。これらのことから、ばね棒３の強度が大幅に向上する。【選択図】  図４
2007089882.tif 000002
【特許請求の範囲】
【請求項１】
一方の部材の貫通孔に挿通され、かつ、両端が他方の部材の連結孔に係合される連結具であって、
筒状部材と、
前記筒状部材の端部に当該筒状部材の軸方向に進退可能に設けられ、かつ、前記連結孔にそれぞれ挿通される一対のピンと、
前記筒状部材の内部に配置され前記ピンを前記筒状部材の端部から突出する前進方向に付勢する付勢部材とを備え、
前記筒状部材は、当該筒状部材の端部から少なくとも所定寸法離れた位置に、内側に突出する係止部を有し、
前記ピンは、前記付勢部材で付勢されて前記係止部に係止される被係止部を有する
ことを特徴とする連結具。
【請求項２】
請求項１に記載の連結具において、
前記係止部は、前記筒状部材の外周部を内側にかしめて形成され、
前記ピンは、小径部と大径部とを有し、
前記被係止部は、前記大径部とされる
ことを特徴とする連結具。
【請求項３】
請求項１に記載の連結具において、
前記係止部は、前記筒状部材の内周側に突出する突起であり、
前記被係止部は、前記ピンの外周部に形成され前記突起が挿入される凹部である
ことを特徴とする連結具。
【請求項４】
請求項１から３のいずれかに記載の連結具において、
前記ピンは、前記被係止部よりも前記前進方向側の位置に、前記筒状部材の内周面に摺接する中間大径部を有する
ことを特徴とする連結具。
【請求項５】
時計を装着するためのバンドであって、
請求項１から請求項４のいずれかに記載の連結具と、
前記貫通孔が形成された連結部とを備え、
前記連結部は、前記連結具により時計のケースに連結される
ことを特徴とする時計用バンド。
【請求項６】
計時部と、前記計時部で計時された計時情報を表示する計時情報表示部と、請求項５に記載の時計用バンドとを備える
ことを特徴とする時計。
【発明の詳細な説明】
【技術分野】
【０００１】
本発明は、筒状部材とこの筒状部材に進退自在に設けられるピンとを有して部材同士を連結する連結具、およびこの連結具を備えた時計用バンド並びに時計に関する。
【背景技術】
【０００２】
従来、筒状部材と、この筒状部材の両端部に軸方向に沿って進退自在に設けられる一対のピンと、筒状部材の内部でピンを筒状部材の外側に付勢するばねとを有する、ばね棒と呼ばれる連結具が知られている（特許文献１および特許文献２）。
このばね棒は、特許文献１、２にも示されるように、例えば、時計のケースが有する一対のカンにバンドを連結するために使用される。すなわち、ばね棒をバンドのエンドピースに形成された連結孔に挿通しておき、一方のピンをカンの連結孔に通し、さらに、ばね力に抗して筒状部材の内部に他方のピンを一旦後退させてからカンの連結孔に通すことにより、バンドが時計ケースに連結される。
【０００３】
このようなばね棒では、筒状部材からのピンの離脱を防止するために、筒状部材の端部外周をピンの周りでかしめていた。
すなわち、図１１に示したばね棒９のように、ピン９２がばね９３の付勢力によって筒状部材９１の外側に前進した状態では、筒状部材９１のかしめ部９１１に対してピン９２に形成された大径部９２１が係止され、ピン９２の筒状部材９１からの離脱が防止される。
【０００４】
【特許文献１】実開昭５８−１９６１４号公報
【特許文献２】実開昭５９−１８９５１２号公報
【発明の開示】
【発明が解決しようとする課題】
【０００５】
しかしながら、前述したピンの離脱防止構造では、筒状部材およびピンの係止部分が筒状部材の端部にあり、携帯時や落下衝撃時にこの筒状部材の端部が支点となって、ピンに大きな曲げモーメントやせん断応力が作用することから、ピンが変形してケースとバンドとの連結部分がガタついたり、カンからピンが外れるおそれがあった。
また、筒状部材９１のかしめ部９１１に係止されるピン大径部９２１と比べ、かしめ部９１１が摺動するピン９２の部分はくびれた形状（小径）であって強度が弱く、携帯時や衝撃時の負荷により変形しやすい。
また、ピンの係止手段も、筒状部材の端部外周を単にかしめたものであるため、衝撃などでこのかしめが拡がり、ピンが係止されずに離脱する可能性がある。
加えて、近年は、時計ケースのカンの連結孔に対してバンドが回動しない固定式のバンド連結構造が増えているとともに、質感の高いステンレススチールなどのムクのケースおよびバンドが使用されることが多く、重量が大きいモデルが増えている。このようなバンド固定式や重いモデルでは、特に大きな負荷がばね棒に掛かり、カンからピンが外れたり、ピンがせん断される可能性が高くなる。
【０００６】
このような問題に鑑みて、本発明の目的は、落下衝撃などの負荷に対して強度が大幅に向上された連結具、およびこの連結具を備えた時計用バンド並びに時計を提供することにある。
【課題を解決するための手段】
【０００７】
本発明の連結具は、一方の部材の貫通孔に挿通され、かつ、両端が他方の部材の連結孔に係合される連結具であって、筒状部材と、前記筒状部材の端部に当該筒状部材の軸方向に進退可能に設けられ、かつ、前記連結孔にそれぞれ挿通される一対のピンと、前記筒状部材の内部に配置され前記ピンを前記筒状部材の端部から突出する前進方向に付勢する付勢部材とを備え、前記筒状部材は、当該筒状部材の端部から少なくとも所定寸法離れた位置に、内側に突出する係止部を有し、前記ピンは、前記付勢部材で付勢されて前記係止部に係止される被係止部を有することを特徴とする。
【０００８】
この発明によれば、筒状部材からのピンの離脱を防止する構造に関し、筒状部材の係止部が、筒状部材の端部から少なくとも所定寸法離れた位置に設けられているため、部材の携帯時や落下衝撃時にピンに作用する曲げモーメントにおいて、係止部が設けられた筒状部材の奥側が支点となり、筒状部材の端部にはさほど大きな力が加わらない。すなわち、筒状部材の端部から係止部までの距離に応じてピンの軸方向に対する振れが抑制され、曲げモーメントを小さくできるから、ピンの変形を防止できる。また、このように、曲げモーメントが小さいので、係止部をかしめにより形成した場合であっても、衝撃でかしめが緩むことを防止できる。
これらのことから、携帯時や衝撃時などにおけるピンや筒状部材の変形、せん断、連結孔からの外れなどを確実に防止できる。
【０００９】
本発明の連結具では、前記係止部は、前記筒状部材の外周部を内側にかしめて形成され、前記ピンは、小径部と大径部とを有し、前記被係止部は、前記大径部とされることが好ましい。
【００１０】
この発明によれば、筒状部材およびピンは、全周に亘って互いに係止されるので、ピンを筒状部材の外側に強く引っ張った際などでもピンが筒状部材から離脱せず、ピンを筒状部材により確実に係止できる。また、連結具の組み立ての際に、筒状部材およびピンを周方向において位置合わせすることを不要にできる。
【００１１】
本発明の連結具では、前記係止部は、前記筒状部材の内周側に突出する突起であり、前記被係止部は、前記ピンの外周部に形成され前記突起が挿入される凹部であることが好ましい。
【００１２】
この発明によれば、突起および凹部により、筒状部材およびピンが周方向において部分的に係合することで、ピンの筒状部材からの離脱を防止する構造としたので、ピンが全周に亘って括れた状態の小径部が形成されず、ピンの強度をより良好に確保できる。また同時に、筒状部材の係止部も、周方向において部分的に突出するように形成したので、衝撃時に筒状部材が係止部の位置で折れ曲がることなどを防止できる。これらにより、連結具の強度がより一層向上する。
【００１３】
本発明の連結具では、前記ピンは、前記被係止部よりも前記前進方向側の位置に、前記筒状部材の内周面に摺接する中間大径部を有することが好ましい。
【００１４】
ここで、中間大径部の位置は、ピンを筒状部材の内側に押込む際の移動量（ストローク）を確保できるように、被係止部から所定寸法、離れている。すなわち、ピンは、筒状部材内部で中間大径部が係止部に係止されるまで、筒状部材の内側に後退させることができる。
この発明によれば、中間大径部の筒状部材内周面への摺接によって衝撃時のピンの振れを抑制でき、ピンの変形、せん断などをより確実に防止できる。
また、ピンを進退させる際、中間大径部が筒状部材の内周面を摺動するためピンががたつかず、連結具の取り扱い性を向上できる。
【００１５】
本発明の時計用バンドは、時計を装着するためのバンドであって、前述の連結具と、前記貫通孔が形成された連結部とを備え、前記連結部は、前記連結具により時計のケースに連結されることを特徴とする。
本発明の時計は、計時部と、前記計時部で計時された計時情報を表示する計時情報表示部と、前述の時計用バンドとを備えることを特徴とする。
【００１６】
これらの時計用バンドおよび時計に係る発明によれば、前述の連結具を備えることにより、前述の作用および効果と同様の作用および効果を享受できる。
すなわち、落下衝撃時にも連結具が破損せず、信頼性を格段に向上させることができ、携行性をより一層高められる。
【発明の効果】
【００１７】
本発明によれば、落下衝撃などの負荷に対して連結具の強度を大幅に向上させることができ、この連結具で連結される部材、およびこの部材を有する製品の信頼性に寄与できる。
【発明を実施するための最良の形態】
【００１８】
〔第１実施形態〕
以下、図面を参照して本発明の実施形態について説明する。
図１は、本実施形態における時計１の外観図である。
時計１は、計時部としてのモジュール１０と、計時情報表示部としての文字板１１と、これらモジュール１０および文字板１１を格納するケース２とを備え、ケース２の６時および１２時方向には、連結具としてのばね棒３によって装着用のバンド４が連結される。
【００１９】
図２は、時計１の要部拡大図である。
ケース２の６時方向および１２時方向にはそれぞれ、ケース２の側面から突出する一対のカン２１が設けられている。一対のカン２１にはそれぞれ、ばね棒３が挿入される連結穴２１１が同軸上に形成されている。
バンド４は、複数の駒４１が組み合わせられて構成され、ケース２の６時方向および１２時方向において一対のカン２１の間にそれぞれ配置される連結部としてのエンドピース４２を両端に有する。なお、エンドピース４２の側面とケース２側面との間には、隙間が開いている。
エンドピース４２には、バンド４の幅方向に貫通孔４２１が形成され、この貫通孔４２１にばね棒３が挿通される。
すなわち、一方のカン２１の連結穴２１１、エンドピース４２の貫通孔４２１、他方のカン２１の連結穴２１１が同軸上に配置され、これらの連結穴２１１、貫通孔４２１、連結穴２１１にばね棒３が挿通されることにより、ケース２とバンド４とが連結されている。
【００２０】
以下、このばね棒３について詳しく説明する。
図３は、ばね棒３の外観を示す。また、図４は、ばね棒３の側断面図である。
ばね棒３は、バンド４（図２）の幅と略同じ長さの略円筒状の筒状部材３１と、この筒状部材３１の両端部に挿入される２つのピン３２と、筒状部材３１の内部で２つのピン３２の間に配置され、両方のピン３２を筒状部材３１の外側に付勢する付勢部材としての圧縮コイルばね３３とを備えて構成されている。
【００２１】
各ピン３２は、図４（Ａ）に示すように、ばね３３に付勢されて筒状部材３１の外側に前進した状態から、図４（Ｂ）に示すように、筒状部材３１の内側に向かってばね３３を押し縮めるように後退させることができる。このように、ピン３２は、筒状部材３１の外側に軸方向に沿って進退可能とされている。
【００２２】
このようなピン３２は、外径の寸法が大小変わる段付きピンとされ、進退方向前端部、軸方向中程、および進退方向後端部にはそれぞれ、前方大径部３２１、中間大径部３２２、および被係止部としての後方大径部３２３がそれぞれ形成されている。中間大径部３２２および後方大径部３２３の間は小径部３２０となっている。
【００２３】
図４（Ｂ）に示すように、ピン３２は、前方大径部３２１が筒状部材３１の端部３１０に当接するまで、後退可能である。この図４（Ｂ）の状態から、ばね３３の付勢によりピン３２が前進すると、図４（Ａ）に示すように、中間大径部３２２が筒状部材３１の端部３１０に丁度重なる。このようなピン３２の進退の際、筒状部材３１の内周面に中間大径部３２２および後方大径部３２３が摺接する。
なお、前方大径部３２１には、周方向に沿って、ピン３２の取り扱いの際などに工具などが当接される溝３２１Ａが形成されている。
【００２４】
一方、筒状部材３１には、ピン３２が後退した図４（Ｂ）に示す状態において、中間大径部３２２に対してピン３２の後端側となる位置が、周方向に沿ってかしめられ、内周側に突出する係止部としてのかしめ部３１１が形成されている。このかしめ部３１１は、中間大径部３２２および後方大径部３２３の間に位置し、ばね３３によりピン３２が前進すした図４（Ａ）の状態では、後方大径部３２３がこのかしめ部３１１に係止される。
ここで、図４（Ａ）中、Ｌ１で図示した前方大径部３２１および中間大径部３２２の間の寸法と、中間大径部３２２およびかしめ部３１１の間の寸法とは略同じであり、このＬ１は、ピン３２が進退可能な所定寸法の移動量（ストローク）である。
【００２５】
そして、図４（Ａ）に示すように、後方大径部３２３のかしめ部３１１への係止により、ピン３２のそれ以上の前進が規制され、筒状部材３１からのピン３２の離脱が防止されている。かしめ部３１１の位置は、筒状部材３１の端部３１０の位置からピン３２のストロークＬ１および中間大径部３２２の長さＬ２を足し合わせた寸法ぶん離れた位置となっている。
【００２６】
このようなばね棒３を使用する際は、図２に示すように、筒状部材３１をエンドピース４２の貫通孔４２１に挿通するとともに、一方のピン３２をカン２１の連結穴２１１に挿通し、エンドピース４２が一対のカン２１の間に配置された状態とする。そして、溝３２１Ａ（図３）に工具などを当接して他方のピン３２を筒状部材３１の内側に一旦後退させ、筒状部材３１の端部をカン２１の連結穴２１１にあてがい、ピン３２の位置を連結穴２１１の位置と合わせて連結穴２１１にピン３２を挿入する。すると、筒状部材３１の端部３１０から露出したピン３２の露出部３２Ａ（図３）がカン２１の連結穴２１１に挿入され、ケース２とバンド４とが互いに連結される。エンドピース４２は、カン２１の連結穴２１１に回動自在に連結される。
【００２７】
このようにエンドピース４２とケース２とが連結されたとき、ばね棒３は図４（Ａ）に示す状態にあり、筒状部材３１の端部３１０からかしめ部３１１までの間で、筒状部材３１とピン３２とが重なる。これにより、時計１の携帯時や落下衝撃時にピン３２に作用する曲げモーメントにおいて、かしめ部３１１が設けられた筒状部材３１の奥側が支点となり、筒状部材３１の端部３１０にはさほど大きな力が加わらない。すなわち、筒状部材３１の端部３１０からかしめ部３１１までの距離（Ｌ１にＬ２を加えた寸法）に応じてピン３２の軸方向に対する振れが抑制され、曲げモーメントを小さくできる。
【００２８】
このような本実施形態によれば、次のような効果を奏する。
（１）ばね棒３の筒状部材３１からのピン３２の離脱を防止する構造に関し、筒状部材３１の端部３１０からピン３２のストロークＬ１に中間大径部３２２の長さＬ２を足し合わせた寸法ぶん離れた位置に、かしめ部３１１を形成し、このかしめ部３１１にピン３２の後方大径部３２３が係止される構造とした。
このような構造では、筒状部材３１の端部３１０からかしめ部３１１までの距離（Ｌ１にＬ２を加えた寸法）に応じて、ピン３２に作用する曲げモーメントを小さくできるから、時計１の携帯時や落下衝撃時にカン２１とエンドピース４２との連結部分に大きな負荷が掛かった場合でもピン３２の変形を防止できる。また、同じ理由により、筒状部材３１のかしめ部３１１が衝撃などで拡がることを防止できる。
これらのことから、ピン３２や筒状部材３１の変形によるばね棒３のがたつきや、カン２１およびエンドピース４２からのばね棒３の外れ、あるいは、ピン３２のせん断などをより確実に防止できる。すなわち、ばね棒３の強度が大幅に向上し、落下衝撃などに際してもばね棒３が破損しないことから、時計１の信頼性および携行性も向上する。
【００２９】
（２）また、本実施形態は、従来のピンを筒状部材に係止する手段、すなわち、ピンに小径部分を形成して、この小径部で筒状部材の端部をかしめる手段に代わるピンの離脱防止構造を示すものであって、ピン３２における小径部３２０は筒状部材３１の端部３１０近傍にはなく、筒状部材３１の端部３１０近傍には、中間大径部３２２を配置している。このように、衝撃時に負荷が作用しやすい筒状部材３１の端部３１０近傍に中間大径部３２２が配置されるので、この中間大径部３２２と筒状部材３１内周面との摺接によって衝撃時にピン３２が軸方向に対して振れることを抑制でき、ピン３２の変形、せん断をより確実に防止できる。
また、ピン３２を進退させる際、中間大径部３２２および後方大径部３２３が筒状部材３１の内周面を摺動するため、ピン３２ががたつかず、ばね棒３の取り扱い性を向上できる。
【００３０】
（３）かしめ部３１１および後方大径部３２３により、筒状部材３１およびピン３２が全周に亘って係止されるので、ピン３２を筒状部材３１の外側に強く引っ張った際などでもピン３２が筒状部材３１から離脱せず、ピン３２を筒状部材３１により確実に係止できるとともに、ばね棒３の組み立ての際に、筒状部材３１およびピン３２の周方向における位置合わせを不要にできる。
【００３１】
（４）さらに、ピン３２の前方にも、前方大径部３２１が設けられているため、ピン３２の強度がより向上するとともに、カン２１の連結穴２１１におけるピン３２のがたつきを防止できる。
【００３２】
なお、本実施形態において、図５に示したばね棒３Ａのように、筒状部材３１の端部をピン３２の周りでかしめてもよい（端部かしめ部３１２）。こうすれば、端部かしめ部３１２で中間大径部３２２を係止することができ、ピン３２の筒状部材３１からの離脱、および衝撃時におけるカン２１またはエンドピース４２からのピン３２の外れを一層確実に防止できる。
【００３３】
〔第２実施形態〕
次に、本発明の第２実施形態を説明する。
なお、以下の説明では、既に説明した実施形態と同様の構成については、同一符号を付して、説明を省略もしくは簡略する。
第１実施形態では、ばね棒の筒状部材とピンとは全周に亘って係止されていたが、本実施形態では、ばね棒の筒状部材とピンとが周方向において部分的に係止されている点が第１実施形態と相違する。
【００３４】
図６は、本実施形態におけるばね棒５の側断面図であり、図７は、ばね棒５の分解斜視図である。
ばね棒５は、前述した第１実施形態におけるばね棒３と同様、図１で示した時計１のケース２のカン２１にバンド４のエンドピース４２を連結するために用いられ、略円筒状の筒状部材５１と、筒状部材５１の両端部にそれぞれ挿入される２つのピン５２とを有する。なお、図７において、ばね棒５が備えるピン５２の一方の図示を省略した。
【００３５】
ここで、本実施形態のピン５２は、図７に示すように、前方大径部３２１と、軸方向中程から後端までの大径部５２２とを有する。
大径部５２２の外周部には、ピン５２の軸方向に沿って延びる凹部としての溝５２２Ａが刻設され、この溝５２２Ａの両端側には、第１実施形態における中間大径部３２２に相当する中間凸部５２２Ｂと、第１実施形態における後方大径部３２３に相当する後端凸部５２２Ｃとが形成されている。
なお、これらの溝５２２Ａ，中間凸部５２２Ｂ、および後方凸部５２２Ｃは、ピン５２の直径方向反対側にも同様に形成されている。つまり、ピン５２の周方向において２箇所、溝５２２Ａ、中間凸部５２２Ｂ、および後方凸部５２２Ｃがそれぞれ形成されている。
【００３６】
一方、筒状部材５１は、外周の一部がかしめられ、筒状部材５１の内周面に係止部としての突起５１１を有する。この突起５１１は、筒状部材５１の軸中心に対する点対称位置に２箇所、設けられている。
ここで、筒状部材５１とピン５２とを組み立てる際、突起５１１が溝５２２Ａに挿入される。そして、ピン５２を軸方向に進退すると、溝５２２Ａに沿って筒状部材５１の突起５１１が案内される。
図６に示すように、ばね３３の付勢力によりピン５２が前進し、突起５１１に後端凸部５２２Ｃが係止されることにより、ピン５２の筒状部材５１からの抜け止めが図られる。
そして、この図６に示す状態から、ピン５２を筒状部材５１内部に押込んで突起５１１に中間凸部５２２Ｂが近接ないし当接するまでのピン５２の移動量がピン５２のストロークＬ１であり、突起５１１の位置は、ピン５２のストロークＬ１に中間凸部５２２Ｂの長さＬ２を足し合わせた分、筒状部材５１の端部５１０から離れた位置となっている。
【００３７】
本実施形態によれば、次のような効果を奏する。
（５）筒状部材５１およびピン５２の周方向において部分的に形成された突起５１１および後端凸部５２２Ｃ同士の係合によって、ピン５２の筒状部材５１からの離脱を防止する構造としたので、ピン５２の全周に亘って括れた小径部が形成されず、ピン５２の強度をより良く確保できる。また同時に、筒状部材５１におけるかしめ部分も周方向の一部に留めて突起５１１を形成したので、かしめ部分で筒状部材５１が折れ曲がることなどを防止できる。これらにより、ばね棒５の強度がより一層向上する。
【００３８】
なお、本実施形態の変形例を図８に示す。
図８に示したばね棒６は、前述のばね棒５と略同様の筒状部材６１およびピン６２を備え、ばね棒５との相違点は、ピン６２に、溝５２２Ａ（図６）の代わりに、軸方向に沿って面取り形成された凹部６２２Ａが形成されていること、および、筒状部材６１には、この凹部６２２Ａに向かって窪む係止部としての突起６１１が形成されている点のみである。
すなわち、ピン６２の凹部６２２Ａ両側は中間凸部５２２Ｂ、後端凸部５２２Ｃであり、突起６１１の位置は、ストロークＬ１に中間凸部５２２Ｂの長さＬ２を足し合わせた分、筒状部材６１の端部６１０から離れた位置となっている。
このようなばね棒６によっても、前述のばね棒５と同様の作用および効果を奏する。
【００３９】
〔第３実施形態〕
次に、本発明の第３実施形態を説明する。
図９は、本実施形態の時計７の外観図であり、図１０は、時計７の側面図である。本実施形態の時計７は、ケース７０およびバンド８にステンレスのムク素材（中実構造）が使用された重厚感あるデザインとなっており、また、バンド８のケース７０への連結構造は、バンド８がケース７０に対して回動しない固定式となっている。
【００４０】
ケース７０は、略角筒状の胴部７１と、胴部７１の一端側を覆う裏蓋７２（図１０）とを備える。
胴部７１の３時方向には、りゅうず７３が設けられ、りゅうず７３を挟んで２時、４時方向には、ストップウォッチ機能の操作ボタン７４，７５がそれぞれ設けられている。
また、胴部７１の６時方向および１２時方向の各辺にはそれぞれ、胴部７１の側面から突出する一対のカン７０１が設けられている。一対のカン７０１にはそれぞれ、第１実施形態で述べたばね棒３（図３）が挿入される連結穴７０１Ａが同軸上に形成されている。
バンド８は、複数の駒８１が組み合わせられて構成され、ケース７０の６時方向および１２時方向において一対のカン７０１の間にそれぞれ配置される連結部としてのエンドピース８２を両端に有する。
エンドピース８２は、平面矩形の略板状の部材であり、第１実施形態におけるエンドピース４２と略同様に、バンド８の幅方向に貫通孔８２１が形成され、この貫通孔８２１にばね棒３（図３）が挿通される。ただし、第１実施形態におけるエンドピース４２とは異なり、エンドピース８２の側面は、一対のカン７０１の間のケース７０側面に当接するように配置されている。
【００４１】
このような構成において、エンドピース８２をケース７０のカン７０１に連結する際は、ばね棒３の筒状部材３１（図３）をエンドピース８２の貫通孔８２１に挿通するとともに、ピン３２の一方を、カン７０１の連結穴７０１Ａに挿通する。そして、他方のピン３２を筒状部材３１の内部に後退させた状態で、当該ピン３２と、カン７０１の連結穴７０１Ａとの位置合わせを行い、ばね３３の付勢力により、ピン３２を連結穴７０１Ａに挿通する。
このようにしてケース７０に連結されたエンドピース８２は、前述のように、側面がケース７０の側面に当接しているため、ばね棒３を軸に回動しない。
【００４２】
本実施形態によれば、次のような効果を奏する。
（６）本実施形態の時計７とバンド８との連結に前述したばね棒３を用いることにより、エンドピース８２がばね棒３によってケース７０に対して回動しないように固定され、しかも重量のあるムク素材でバンド８およびケース７０が形成されているため衝撃の際のばね棒３への負荷が大きい構造であるにも関わらず、ばね棒３の変形、連結部からの外れ、せん断等の破損のおそれをより確実に防止できる。すなわち、ばね棒３による作用効果を最大限に発揮できる。特に、前記エンドピース８２に連結される複数の駒８１の回動を小さく規制した構造に採用する場合には、ばね棒３への負荷が更に大きくなり、ばね棒３による作用効果はより大きくなる。
なお、本実施形態において、ばね棒３の代わりに、前述したばね棒５，６を使用してもよい。
【００４３】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００４４】
なお、本発明の連結具は、ダイビングコンピュータなどの携帯機器にバンドを連結する際にも好適に使用できる。
【図面の簡単な説明】
【００４５】
【図１】本発明の第１実施形態における時計の外観図。
【図２】前記実施形態における時計の要部拡大図。
【図３】前記実施形態における連結具の外観図。
【図４】前記実施形態における連結具の側断面図。
【図５】前記実施形態の変形例を示す図。
【図６】本発明の第２実施形態における連結具の側断面図。
【図７】前記実施形態における連結具の分解斜視図。
【図８】前記実施形態の変形例を示す図。
【図９】本発明の第３実施形態における時計の外観図。
【図１０】前記実施形態における時計の側面図。
【図１１】従来の連結具を示す図。
【符号の説明】
【００４６】
１，７・・・時計、２，７０・・・ケース、３，３Ａ，５，６・・・ばね棒（連結具）、４，８・・・バンド（時計用バンド）、１０・・・モジュール（計時部）、１１・・・文字板（計時情報表示部）、２１，７０１・・・カン（連結具で連結される部材）、３１，５１，６１・・・筒状部材、３２、５２，６２・・・ピン、３３・・・ばね（付勢部材）、４２，８２・・・エンドピース（連結具で連結される部材、連結部）、２１１・・・連結穴（連結孔）、３１０，５１０，６１０・・・端部、３１１・・・かしめ部（係止部）、３２０・・・小径部、３２２・・・中間大径部、３２３・・・後方大径部（被係止部である大径部）、４２１・・・貫通孔、５１１，６１１・・・突起（係止部）、５２２Ｃ・・・後端凸部（被係止部）、５２２Ａ・・・溝（凹部）、６２２Ａ・・・凹部、７０１Ａ・・・連結穴、８２１・・・貫通孔、Ｌ１・・・ストローク（所定寸法）。
【図１】
2007089882.tif 000003
【図２】
2007089882.tif 000004
【図３】
2007089882.tif 000005
【図４】
2007089882.tif 000006
【図５】
2007089882.tif 000007
【図６】
2007089882.tif 000008
【図７】
2007089882.tif 000009
【図８】
2007089882.tif 000010
【図９】
2007089882.tif 000011
【図１０】
2007089882.tif 000012
【図１１】
2007089882.tif 000013